(57)【要約】【課題】  ヘリカルピッチに応じて、よりきめ細かく撮影条件を最適化すること。【解決手段】  ヘリカルスキャン方式を採用し、同時に複数スライス分の投影データを収集するマルチスキャン対応のＸ線ＣＴ装置において、Ｘ線検出手段およびＸ線管を被検体に対して相対的に螺旋状の軌道を描くように移動させる駆動手段による移動速度に応じてＸ線管の管電流を制御する管電流制御手段を具備した。これにより、ヘリカルピッチに応じて、よりきめ細かく撮影条件を最適化することができる。【選択図】  図１
2008212744.tif 000002
【特許請求の範囲】
【請求項１】
被検体へＸ線を照射するＸ線管と、このＸ線管から照射され、前記被検体を透過したＸ
線を検出する、列状に配列された多チャンネルのＸ線検出素子を複数列備えるＸ線検出手
段と、このＸ線検出手段および前記Ｘ線管を前記被検体に対して相対的に螺旋状の軌道を
描くように移動させる駆動手段と、前記Ｘ線検出手段の出力を増幅しデジタル信号に変換
するデータ収集手段と、このデータ収集手段で収集した投影データに基づき断層画像を再
構成する画像再構成手段とを備えるＸ線ＣＴ装置において、
前記駆動手段による移動速度に応じて前記Ｘ線管の管電流を制御する管電流制御手段と
を具備することを特徴とするＸ線ＣＴ装置。
【請求項２】
前記Ｘ線検出手段の内の所望のＸ線検出素子に対応する前記データ収集手段の出力に、
前記駆動手段による移動速度に基づく螺旋のピッチに応じて重みをつける重み付け手段を
更に備え、
前記管電流制御手段は、前記重み付け手段により重み付け処理が施された前記データ収
集手段の出力に基づき、前記螺旋状の軌道を描くように移動させる間に前記Ｘ線管の前記
管電流を制御することを特徴とする請求項１に記載のＸ線ＣＴ装置。
【請求項３】
前記被検体の撮影部位に応じて、前記Ｘ線検出手段の内の所望のＸ線検出素子に対応す
る前記データ収集手段の出力を選択する選択手段を更に備え、
前記重み付け手段は、前記選択手段によって選択された前記データ収集手段の複数の出
力に、前記駆動手段による移動速度に基づく螺旋のピッチに応じて重みをつけ、
前記管電流制御手段は、前記螺旋状の軌道を描くように移動させる間に前記選択手段に
よって選択され、前記重み付け手段により重み付け処理が施された前記データ収集手段の
出力に基づき、前記Ｘ線管の前記管電流を制御することを特徴とする請求項２に記載のＸ
線ＣＴ装置。
【発明の詳細な説明】
【技術分野】
【０００１】
本発明は、一般にヘリカルスキャンと呼ばれる被検体から螺旋状に投影データを収集す
るスキャン方式を採用し、さらに、同時に複数スライス分の投影データを収集するマルチ
スキャン対応のＸ線コンピュータ断層撮影装置に関する。
【背景技術】
【０００２】
Ｘ線コンピュータ断層撮影装置（以下、Ｘ線ＣＴ装置と称する。）は、被検体を間にし
て対向配置したＸ線管とＸ線検出器とにより、被検体の周囲から照射したＸ線の被検体を
透過したＸ線量を投影データとして計測し、このデータをコンピュータを用いて画像再構
成することによって、被検体の断層像を得るものである。
【０００３】
このＸ線ＣＴ装置は、それが発明されて以来めざましい進歩を遂げ、近年では、被検体
を体軸方向へ移動させながらＸ線管を一方向へ連続回転することによって、被検体に対し
て螺旋状にＸ線を照射することにより、螺旋状に投影データを収集するヘリカルスキャン
や、複数列のＸ線検出器を備えることによって、同時に複数スライスの断層撮影を実行す
るマルチスライス型のＸ線ＣＴ装置が実用化されている。このようなＸ線ＣＴ装置の進歩
は、画質改善、撮影時間および画像再構成時間の短縮、Ｘ線被曝量の低減等に対する飽く
なき挑戦の賜物と言っても過言ではなく、そのための種々の提案がされている。
【０００４】
第３世代と称される公知のＸ線ＣＴ装置は、被検体を間にして、Ｘ線管と多チャンネル
のＸ線検出器とを対向配置し、これらを、被検体の周りに３６０°に亘って回転させなが
ら、Ｘ線管からＸ線ビームを被検体へ照射し、被検体を透過したＸ線をＸ線検出器で検出
している。このときのＸ線強度は一定（すなわち、Ｘ線管の管電圧、管電流が一定）とし
ている。なお、Ｘ線管の焦点から放射されるＸ線は、扇形のＸ線ビームにコリメートされ
る。また、Ｘ線ビームの広がり幅は、スライス厚などに応じて決定される。
【０００５】
この被検体に対する或る角度においてＸ線検出器で検出された投影データの集合をビュ
ー（view）と称し、Ｘ線管とＸ線検出器とを被検体の周りに回転させながら、複数のビュ
ー方向で透過Ｘ線量の測定を行うことをスキャン（scan）と称している。そして、スキャ
ンによって得られた複数ビューの投影データを、高速演算装置などを用いて再構成処理を
することにより、被検体の断層像が得られる。
【０００６】
ところで、被検体がひとの場合、胸部から腰部にかけてその横断面は、図５に示すよう
に、ほぼ楕円形と見做される。従って、Ｘ線を被検体Ｐに対して角度位置θ１（楕円の長
軸方向）から照射したときと、角度位置θ２（楕円の短軸方向）から照射したときとでは
、Ｘ線透過量が異なることになる。殊に、骨盤部などでは、被検体Ｐの平面側と側面側と
では、Ｘ線透過量が大きく異なる。
【０００７】
図６は、被検体に対するＸ線管の角度位置と透過Ｘ線量の関係を示したものであり、横
軸を被検体Ｐに対するＸ線の照射角度（すなわち、Ｘ線管の角度位置）、縦軸を透過Ｘ線
量としている。よって、図６から明らかなように、楕円の長軸方向θ１では透過Ｘ線量は
少なく、楕円の短軸方向θ２では透過Ｘ線量が多くなるので、楕円形と見做される被検体
Ｐの全周についてみれば、透過Ｘ線量は周期的に変化する。
【０００８】
従って、被検体Ｐの周りを一定のＸ線強度でスキャンした場合、透過Ｘ線量の多い部分
でのＳ／Ｎ比は高いが、透過Ｘ線量の少ない部分のＳ／Ｎ比は低くなり、画像全体として
のＳ／Ｎ比は低下することになる。そこで、画像全体としてのＳ／Ｎ比を高くするために
は、Ｓ／Ｎ比の低い部分のＳ／Ｎ比が高くなるように、全体的に透過Ｘ線量を増加しなけ
ればならない。しかし、このようにすると、元々Ｓ／Ｎ比の高い部分には過剰なＸ線が照
射されることになり、被検体として被曝量の増大を招くという問題に繋がるものであった
。
【０００９】
このような問題を解決するために、Ｘ線管の角度位置に応じて、Ｘ線管の管電圧あるい
は管電流を制御するようにして、被検体Ｐの一断層面での透過Ｘ線量が一定になるように
スキャンすることが提案されていた。この提案は、一断面の断層像を得るいわゆるシング
ルスキャンの場合には効果的ではあるが、近年のように、ヘリカルスキャン（螺旋状スキ
ャン）によつて、被検体Ｐの体軸方向に沿って、連続的に多数の断層撮影を実施する場合
には、被曝量を低減するという目的に対しては、満足できなくなってきた。その理由は、
被検体Ｐは、胸部、腹部、腰部、脚部などの部位によって組織構成が異なるとともに、体
軸方向に不均一な厚みを有しており、このような被検体Ｐに対してヘリカルスキャンは、
被検体Ｐの体軸方向に沿って撮影範囲が広範囲に及ぶので、透過Ｘ線量の多い部分と少な
い部分とが混在することとなるためである。
【００１０】
そこで、ヘリカルスキャンを行う型のＸ線ＣＴ装置において、被検体周りの角度方向お
よび体軸方向の位置毎の透過Ｘ線量をほぼ一定にする技術を、先に本出願人が提案し、こ
の技術は例えば特許第２７６８９３２号公報に記載されている。
【００１１】
この特許第２７６８９３２号公報に記載されているＸ線ＣＴ装置は、ヘリカルスキャン
（螺旋状スキャン）による断層撮影に先立って、Ｘ線管を被検体に対して所定角度位置に
固定した状態で、Ｘ線を照射しながら被検体の体軸方向に水平に相対的に移動し、Ｘ線検
出器で透過Ｘ線量を検出するいわゆるスキャノ撮影を、角度の異なる２方向（例えば平面
方向と側面方向）について実施するものである。そして、第１のスキャノ撮影時の被検体
の透過Ｘ線量と、第２のスキャノ撮影時の被検体の透過Ｘ線量とに基づいて、ヘリカルス
キャン時の適正なＸ線発生量のパターンを演算して求めておき、ヘリカルスキャンを実施
する際に、被検体に対するＸ線管の角度と体軸方向の位置に応じて、Ｘ線管から発生する
Ｘ線量が事前に求めたパターンに等しくなるようにＸ線管の管電流を制御するものである
。
【００１２】
しかしながら、このＸ線ＣＴ装置は、ヘリカルスキャン時の適正なＸ線発生量のパター
ンを求めるために、スキャノ撮影を２度実施する必要があり、それだけ被検体の被曝量が
増すという問題があった。また、スキャノ撮影により求めたパターンに基づいて、Ｘ線管
の管電流を制御する場合、スキャノ撮影後に被検体が動いてしまうと、その意味をなさな
くなるという根本的な課題をかかえていた。
【００１３】
このような課題を解決する手段として、ヘリカルスキャンにおいて、１回転または数回
転前に収集した投影データに基づいて、今回の回転中のＸ線出力を動的に変える提案がな
されるようになった。しかし、ヘリカルスキャンでは、Ｘ線管の回転と共に被検体を載せ
た天板が体軸方向へ移動しているので、１回転前に投影データを収集した被検体の部位は
、今回の回転で投影データを収集しようとしている被検体の部位から外れており、特に骨
が複雑に入り組んでいる胸部などでは、Ｘ線出力を適正にすることが困難であった。
【００１４】
このような問題に対して本出願人は、それまで多チャンネルのＸ線検出素子が１列に構
成されていたＸ線検出器を、同時に複数スライス分の投影データが収集できるように、Ｘ
線検出素子を複数列としたいわゆるマルチスライス対応のＸ線検出器を用いて、画像再構
成用の投影データを収集するためのＸ線検出素子列と、Ｘ線管のＸ線出力を調整するため
のデータを収集するＸ線検出素子列とを使い分けるようにし、さらに、画像再構成用の投
影データを収集するために選択されるＸ線検出素子列よりも、ヘリカルスキャンのための
螺旋軌道上で先行する他のＸ線検出素子列（これは、画像再構成のために選択されなかっ
たＸ線検出素子列である）の出力に基づいて、Ｘ線管のＸ線出力を動的に調整することを
提案し、その内容は、特開２０００−２６２５１２号公報に記載されている。
【特許文献１】特許第２７６８９３２号公報
【特許文献２】特開２０００−２６２５１２号公報
【発明の開示】
【発明が解決しようとする課題】
【００１５】
この提案により、スライス方向における画像再構成用の投影データ収集位置と、Ｘ線出
力を動的に調整するための基礎データ収集位置とのずれがなくなり、低被曝化およびＸ線
出力の適正化に寄与している。しかし、これを更に進めて、撮影対象部位やヘリカルピッ
チなどに応じて、よりきめ細かく撮影条件を最適化したいとの要望が強くなった。
【００１６】
本発明は、このような要望に応えるためになされたものである。
【課題を解決するための手段】
【００１７】
上述の課題を解決するため、請求項１に記載の発明は、被検体へＸ線を照射するＸ線管
と、このＸ線管から照射され、前記被検体を透過したＸ線を検出する、列状に配列された
多チャンネルのＸ線検出素子を複数列備えるＸ線検出手段と、このＸ線検出手段および前
記Ｘ線管を前記被検体に対して相対的に螺旋状の軌道を描くように移動させる駆動手段と
、前記Ｘ線検出手段の出力を増幅しデジタル信号に変換するデータ収集手段と、このデー
タ収集手段で収集した投影データに基づき断層画像を再構成する画像再構成手段とを備え
るＸ線ＣＴ装置において、前記駆動手段による移動速度に応じて前記Ｘ線管の管電流を制
御する管電流制御手段とを具備することを特徴とする。
【発明の効果】
【００１８】
これにより、スライス方向における画像再構成用の投影データ収集位置と、Ｘ線出力を
動的に調整するための基礎データ収集位置とのずれがなくなり、低被曝化およびＸ線出力
の適正化に寄与するとともに、撮影対象部位やヘリカルピッチなどに応じて、よりきめ細
かく撮影条件を最適化することができる。
【発明を実施するための最良の形態】
【００１９】
以下、本発明に係るＸ線ＣＴ装置の一実施の形態について、図１ないし図４を参照して
詳細に説明する。
【００２０】
図１は、本発明に係るＸ線ＣＴ装置の一実施の形態の概略構成を示した系統図である。
【００２１】
図１に示されているように、本発明に係るＸ線ＣＴ装置は、架台１に、被検体Ｐへ向け
てＸ線を照射するＸ線管２と、被検体Ｐを間にしてＸ線管２と対向配置され、被検体Ｐを
透過したＸ線量を検出するＸ線検出器４が設けられており、これらは、架台１とともに回
転するように構成されている。なお、Ｘ線管２には、高電圧発生部５によって管電圧、管
電流が与えられる。また、架台１は、回転駆動部６によって回転駆動される。さらに、Ｘ
線検出器４は、図２に平面図として概要を示すように、例えば８００チャンネルのＸ線検
出素子が、Ｘ線管２から照射されるＸ線ビームの広がりに合わせて一列に配列されたもの
が、スライス方向（すなわち、被検体Ｐの体軸方向）に並列に複数列配列された、マルチ
スライス対応のＸ線検出器４として構成されている。
【００２２】
そして、対向して配置されているＸ線管２とＸ線検出器４との間の空間に、寝台天板７
に載せられた被検体Ｐを位置させるとともに、寝台天板７を被検体Ｐの体軸方向に水平に
移動させる寝台駆動部８が設けられている。なお、回転駆動部６によって回転駆動される
架台１の回転速度（すなわち、Ｘ線管２とＸ線検出器４の回転速度）は、通常一定なので
、寝台駆動部８によって被検体Ｐ（すなわち、寝台天板７）を体軸方向へ移動させる速度
によって、架台１（すなわち、Ｘ線管２とＸ線検出器４）が１回転する間に被検体Ｐが移
動する距離（これをヘリカルピッチと称する）が決まり、被検体Ｐの移動速度が遅いほど
ヘリカルピッチは小さくなる。
【００２３】
また、Ｘ線検出器４で検出した被検体のＸ線透過データを収集するデータ収集部９と、
このデータ収集部９で収集した透過データを基に画像を再構成する画像再構成部１０と、
再構成された画像を表示する表示部１１などが備えられている。さらに、データ収集部９
から得られる透過データのうち、所望のＸ線検出器４の列および／またはチャンネルに対
応する透過データを選択する検出器選択部１３が設けられており、この検出器選択部１３
で選択された透過データは、適宜重み付けなどがされて高電圧発生部５へフィードバック
される。
【００２４】
そして、これらＸ線ＣＴ装置を構成する各ユニットを、有機的に制御する中枢的な機能
を果たすコンピユータやメモリ等を有するシステム制御部１５と、システム制御部１５に
対して操作者が、各種設定値や指示事項などを入力するための操作部１６も設けられてい
る。
【００２５】
なお、マルチスライス対応のＸ線検出器４は、図２に示すように、チャンネル方向にＣ
１〜Ｃｎで示すｎ個（例えば、ｎ＝８００）と、スライス方向にＳ１〜Ｓｍで示すｍ列（
例えば、ｍ＝３２）のＸ線検出素子がマトリクス状に配列されている。そして操作者が、
操作部１６を介してスライス厚やスライス数を指定することによって、システム制御部１
５はその指定内容に応じて、Ｘ線検出器４の中からスライス方向の少なくとも１列のＸ線
検出素子列を選択する。従って、選択されたＸ線検出器４のＸ線検出素子列によって検出
され、データ収集部９によって収集されたＸ線透過データに基づき、画像再構成部１０に
おいて、画像が再構成される。
【００２６】
例えば、スライス厚が１ｍｍで、スライス数が４と指定されたとすると、図２にパター
ンＡとして示すように、Ｘ線検出器４の中からスライス方向に中央の４列のＸ線検出素子
列が選択され、各列のＸ線検出素子によって検出され、データ収集部９によって収集され
たＸ線透過データに基づき、画像再構成部１０において、１ｍｍ厚で隣接する４スライス
の画像が再構成される。また、スライス厚が２ｍｍで、スライス数が４と指定されたとき
は、図２にパターンＢとして示すように、Ｘ線検出器４の中からスライス方向に中央の８
列のＸ線検出素子列が選択され、隣接する各２列分のＸ線検出素子によって収集されたＸ
線透過データを、１スライス分のＸ線透過データとして、画像再構成部１０において、２
ｍｍ厚で隣接する４スライスの画像が再構成される。
【００２７】
そこで、本発明では、複数チャンネル、複数列のＸ線検出素子がマトリクス状に配列さ
れているマルチスライス対応のＸ線検出器４について、被検体Ｐの撮影部位やヘリカルピ
ッチに応じて所望のＸ線検出素子を指定し、その指定したＸ線検出素子の出力を抽出し、
抽出した出力を高電圧発生部５へフィードバックすることによって、最適な撮影条件とな
るように、Ｘ線管２の管電流を制御しようとするものである。この選択するＸ線検出素子
列としては、画像再構成用のＸ線透過データの収集に供されるものではなく、Ｘ線検出器
４に設けられている空きのＸ線検出素子列を利用するのがよい。なお、今後の説明におい
て、個々のＸ線検出素子を特定する必要のある場合は、スライス方向の列番号Ｓ１〜Ｓｍ
とチャンネル方向のチャンネル番号Ｃ１〜Ｃｎとを組合せて、例えば２列目で３チャンネ
ル目のＸ線検出素子は、４（Ｓ２Ｃ３）のように表示するものとする。
【００２８】
図３は、Ｘ線検出器４に対する被検体Ｐの移動方向の関係を示した説明図である。Ｘ線
検出器４は静止しており、被検体Ｐが矢印で示すように、図の右側から左側へ向けて移動
している状況下で、Ｘ線が照射されるものとする。この図３には、Ｘ線検出器４として便
宜的に５列のＸ線検出素子列Ｓ１〜Ｓ５だけを示している。従って、被検体Ｐに対しては
、Ｘ線検出素子列Ｓ１が最も先行することとなり、このＸ線検出素子列Ｓ１で得られたＸ
線透過データを基にして、後続するＸ線検出素子列Ｓ２〜Ｓ５に対するＸ線条件の設定と
して、Ｘ線管２の管電流を調整すれば、被検体Ｐの体軸方向のどのスライス位置について
も、良好な画像再構成のためのＸ線透過データを収集することができる。
【００２９】
なお、被検体Ｐが図３に示した矢印と逆方向に移動する場合には、Ｘ線検出素子列Ｓ５
が最も先行することとなり、このＸ線検出素子列Ｓ５で得られたＸ線透過データを基にし
て、後続するＸ線検出素子列Ｓ４〜Ｓ１に対するＸ線条件を設定すれば良いことは言うま
でもない。このように、マルチスライス対応のＸ線検出器４を備えているヘリカルスキャ
ン方式のＸ線ＣＴ装置において、画像再構成用のデータを収集するＸ線検出素子列よりも
先行する空きのＸ線検出素子列を使用することによって、Ｘ線出力の適正化を図ることが
できる。
【００３０】
そこで本発明では、これをさらに進めて、マルチスライス対応のＸ線検出器４のうち、
例えば、図２に斜線を施して示したような最前列のＸ線検出素子列について、左周辺側の
Ｘ線検出素子４（Ｓ１Ｃ３）と、略中央部のＸ線検出素子４（Ｓ１Ｃｊ）、および右周辺
側のＸ線検出素子４（Ｓ１Ｃｎ−２）を、被検体Ｐの注目部位に応じて選択できるように
予め設定しておく。また、中央部のＸ線検出素子列について、左周辺側のＸ線検出素子４
（ＳｉＣ３）、略中央部のＸ線検出素子４（ＳｉＣｊ）、右周辺側のＸ線検出素子４（Ｓ
ｉＣｎ−２）を、さらに、最後列のＸ線検出素子列について、左周辺側のＸ線検出素子４
（ＳｍＣ３）、略中央部のＸ線検出素子４（ＳｍＣｊ）、右周辺側のＸ線検出素子４（Ｓ
ｍＣｎ−２）なども、被検体Ｐの注目部位に応じて選択できるように予め設定しておく。
なおこれらのＸ線検出素子は、予め設定しておくばかりではなく、必要に応じて都度選択
するようにしてもよい。
【００３１】
すなわち、被検体Ｐの例えば肺部を診断する場合には、被検体Ｐの周辺部での撮影条件
を最適化するのがよく、そのため、例えば、左周辺側のＸ線検出素子４（Ｓ１Ｃ３）と右
周辺側のＸ線検出素子４（Ｓ１Ｃｎ−２）の出力によって管電流を決定するように、この
出力を高電圧発生部５へフィードバックする。また、心臓を診断する場合には、被検体Ｐ
の中央部での撮影条件を最適化するのがよく、そのため、例えば、略中央部のＸ線検出素
子４（Ｓ１Ｃｊ）の出力によって管電流を決定するように、この出力を高電圧発生部５へ
フィードバックする。さらに、肝臓を診断する場合には、被検体Ｐの腹部全体での撮影条
件を最適化するのがよく、そのため、例えば、左周辺側のＸ線検出素子４（Ｓ１Ｃ３）と
、略中央部のＸ線検出素子４（Ｓ１Ｃｊ）、および右周辺側のＸ線検出素子４（Ｓ１Ｃｎ
−２）の出力によって、またはＸ線検出素子列Ｓ１全体の出力によって管電流を決定する
ように、この出力を高電圧発生部５へフィードバックするものである。
【００３２】
なお、診断部位に応じて周辺側あるいは中央部などのＸ線検出素子を選択することに代
えて、チャンネル方向の例えば上記３種のＸ線検出素子、あるいはＸ線検出素子列全体の
出力に対して、診断部位に応じて適宜重み付けをして高電圧発生部５へフィードバックす
るようにしてもよい。さらに、ここでは、最前列のＸ線検出素子列を使用するものとして
説明したが、中央部あるいは最後列のＸ線検出素子列を使用しても同様である。
【００３３】
さらに、被検体の体軸方向においては、図４に示すように、胸部Ｃｈでは、構造的な診
断情報の収集が重要視され、腹部Ａｂでは、組織的な診断情報の収集が重要視される。ま
た、下腹部Ｌａや腰部Ｗａなどでも、同様に重視される診断情報があり、それに応じた情
報収集が必要とされることになる。よって、これらのスキャン範囲やスキャン時のヘリカ
ルピッチに応じても、木目細かく最適な撮影条件を設定することが有効である。そのため
、上記の管電流を決定するために選択するＸ線検出素子４（Ｓ１Ｃ３）、４（Ｓ１Ｃｊ）
、４（Ｓ１Ｃｎ−２）、または、Ｘ線検出素子４（ＳｉＣ３）、４（ＳｉＣｊ）、４（Ｓ
ｉＣｎ−２）、さらに、Ｘ線検出素子４（ＳｍＣ３）、４（ＳｍＣｊ）、４（ＳｍＣｎ−
２）などの出力に対して、胸部Ｃｈ、腹部Ａｂ、下腹部Ｌａ、腰部Ｗａなどのスキャン範
囲に応じて、あるいは、ヘリカルピッチの大小に応じて、スライス方向（Ｘ線検出素子の
列方向）に適宜重み付けをした上で、高電圧発生部５へフィードバックするものとする。
【００３４】
なお、図４は、スキャンの位置決めのために取得されたスキャノ画面の一例を示したも
のである。
【００３５】
本発明は、上述の実施の形態に限定されるものではなく、種々の形態で実施されること
が可能なことは言うまでもない。最適な撮影条件とするための、管電流を決定するために
選択するＸ線検出素子は、例えば１列ｊチャンネル目のＸ線検出素子４（Ｓ１Ｃｊ）のよ
うに、特定の１素子に限らず、その素子の片側または両側に位置する複数の素子を、ひと
つのグループとして捉えるようにしてもよい。さらに選択するＸ線検出素子は、空きのＸ
線検出素子列の中から選択することに限るものではなく、画像再構成用のＸ線透過データ
の収集に供されるＸ線検出素子列を使用するようにしてもよい。
【００３６】
（発明の効果）
以上詳細に説明したように、本発明によれば、ヘリカルスキャン方式を採用し、同時に
複数スライス分の投影データを収集するマルチスキャン対応のＸ線ＣＴ装置において、ス
ライス方向における画像再構成用の投影データ収集位置と、Ｘ線出力を動的に調整するた
めの基礎データ収集位置とのずれがなくなり、低被曝化およびＸ線出力の適正化に寄与す
るとともに、撮影対象部位やヘリカルピッチなどに応じて、よりきめ細かく撮影条件を最
適化することができる。
【図面の簡単な説明】
【００３７】
【図１】本発明に係るＸ線ＣＴ装置の一実施の形態の概略構成を示した系統図である。
【図２】マルチスライス対応のＸ線検出器における素子配列の一例を説明するために示した平面図である。
【図３】Ｘ線検出器に対する被検体の移動方向の関係を示した説明図である。
【図４】スキャノ画面の一例を示して説明した、スキャン範囲の説明図である。
【図５】被検体の横断面を模式的に示した説明図である。
【図６】被検体に対するＸ線管の照射角度と透過Ｘ線量の関係を説明するために示した特性図である。
【符号の説明】
【００３８】
１  架台
２  Ｘ線管
４  Ｘ線検出器
５  高電圧発生部
６  回転駆動部
７  寝台天板
８  寝台駆動部
９  データ収集部
１０  画像再構成部
１１  表示部
１３  検出器選択部
１５  システム制御部
１６  操作部
【図１】
2008212744.tif 000003
【図２】
2008212744.tif 000004
【図３】
2008212744.tif 000005
【図４】
2008212744.tif 000006
【図５】
2008212744.tif 000007
【図６】
2008212744.tif 000008